(57)【要約】【課題】混合放置すること化学反応を起こし、目的の消臭効果が減殺されるような異なった複数の消臭液を同時に噴霧する。【解決手段】異なった複数の消臭液を、種類毎に異なった収納体に収納し、噴霧直前にポンプにより前記複数の消臭液を同時に吸引し、混合し、一のノズルを介して同時に噴霧を行う。また、収納体毎に吸引管および噴霧器が設け、消臭液の吸引管を通しての吸い上げ動作および各噴霧器の噴霧動作を連動させ、それぞれのノズルから同時に消臭液の噴霧を行う。【選択図】図１
2006034300.tif 000002
【特許請求の範囲】
【請求項１】
混合放置すると化学反応を起こす異なる複数の消臭液を同時に噴霧する消臭方法であって、一のノズルを持つ噴霧器に取り付けられ、途中から複数に分岐した分岐管の端部を別々の収納体に収納された異なる消臭液の各々に挿入し、前記異なる消臭液を各々の収納体から同時に吸引して噴霧することを特徴とする消臭方法。
【請求項２】
混合放置すると化学反応を起こす異なる複数の消臭液を同時に噴霧する噴霧装置であって、前記異なる消臭液を別々に収納する複数の収納体と、途中から複数に分岐してその端部が各々の異なった収納体の消臭液内に配置され、他の端部を噴霧器に接続した吸引管と、前記各々の収納体から前記吸引管を通して消臭液を同時に吸引し、一のノズルより噴霧する噴霧器とを有することを特徴とする消臭液の噴霧装置
【請求項３】
混合放置すると化学反応を起こす異なる複数の消臭液を同時に噴霧する消臭方法であって、別々に収納された異なる消臭液の各々の収納体に取り付けた複数の噴霧器を連動させて、前記各々の消臭液を同時に吸引し、噴霧することを特徴とする消臭方法。
【請求項４】
混合放置すると化学反応を起こす異なる複数の消臭液を同時に噴霧する噴霧装置であって、前記異なった消臭液を別々に収納する複数の収納体と、各々の収納体の消臭液内に一端部を配置した複数の吸引管と、前記各吸引管の他端部が接続された複数の噴霧器とを有し、前記各噴霧器のトリガー同士を連結したトリガーとしたことを特徴とする消臭液の噴霧装置
【発明の詳細な説明】
【技術分野】
【０００１】
本発明は、混合放置すると化学反応を起こす複数の消臭液を同時に噴霧する消臭方法およびその消臭方法を実現する消臭液の噴霧装置に関するものである。
【背景技術】
【０００２】
従来、たとえばアンモニア等の臭気に対して消臭効果のある酸性消臭剤と低級脂肪酸等の臭気に対して消臭効果のあるアルカリ性消臭剤等、異なった成分からなる複数の消臭液を噴霧する場合、当該消臭液同士を混合放置すると化学反応を起こし、目的の消臭効果が得られないものにあっては、各々の消臭液を別々の噴霧装置を用いて、別個独立に噴霧する必要があった。
【０００３】
一例として、従来の噴霧装置について図４を用いて説明する。従来の技術に係る噴霧装置として、消臭液を収納した一の収納体を有するトリガー式噴霧装置を例に挙げ示した（例えば、特許文献１参照。）。
【０００４】
噴霧装置１は消臭液６を収納する収納体２、前記消臭液を噴霧する噴霧器８、および前記噴霧液を吸い上げる吸引管３とから構成されている。また、噴霧する消臭液６はあらかじめ収納体２に収納されている。
【０００５】
次に噴霧器８の構成および噴霧動作について説明する。図示はしていないが噴霧器８の内部には消臭液６を吸引するためのポンプが配設されており、前記ポンプは収納体２内に一端が挿入された吸引管３と接続され、当該吸引管３を通して消臭液６を吸引する。また、前記噴霧器８は手動でポンプを操作するためのトリガー４が配設されており、当該トリガー４を作動させることにより吸引された消臭液６はノズル５を介して噴霧される。
【０００６】
なお、手押し式噴霧器、その他の噴霧器であってもほぼ同様な噴霧方法および構成である。
【特許文献１】特開平０９−２９１４５号公報
【発明の開示】
【発明が解決しようとする課題】
【０００７】
しかしながら、混合放置をすると化学反応を起こし、目的の消臭効果が減殺されるような異なった複数の消臭液を噴霧する場合にあっては、あらかじめ前記消臭液同士を混合しておくことができないため、前述の噴霧装置を消臭液毎に準備し、かつ別個独立に噴霧する必要があった。
【０００８】
本発明は、前記の問題を解決するためになされたものであり、消臭効果を減じることなく同時に異なった消臭液を噴霧する消臭方法およびその噴霧装置を提供するものである。
【課題を解決するための手段】
【０００９】
本発明の第１の手段は、異なった複数の消臭液を種類毎に異なった収納体に収納し、一のノズルを介して同時に噴霧する方法に特徴を有する。
【００１０】
また、前記した噴霧方法を実現しうる消臭液の噴霧装置は、異なった種類の消臭液をそれぞれ充填した複数の収納体と、前記収納体内の消臭液を同時に吸い上げる分岐管を有する吸引管と、当該吸引管を接続したポンプおよび一のノズルを有する噴霧器とからなる構成に特徴を有する。
【００１１】
本発明の第２の手段は、異なった複数の消臭液を種類毎に異なった収納体に収納し、それぞれの収納体に個別に設けられた噴霧器同士を連動させ、同時に噴霧を行う方法に特徴を有する。
【００１２】
また、前記した噴霧方法を実現しうる消臭液の噴霧装置は、異なった種類の消臭液をそれぞれ充填した複数の収納体と、それぞれの収納体の消臭液内に一端部を配置した吸引管と、それぞれの吸引管の他端部を接続したポンプ、およびノズルを備えた複数の噴霧器を有し、前記複数の噴霧器はその各々のトリガー同士を連結したトリガーとしたことを特徴とする。
【発明の効果】
【００１３】
本発明では、混合放置をすると化学反応を起こし、目的の消臭効果が減殺するような複数の異なった消臭液を噴霧する場合であっても、化学反応を起こさせずに、あるいは進行しない段階で同時に噴霧できるため、従来の別個の噴霧装置を用いて個別に噴霧していた消臭方法、噴霧装置に比べ、利便性が格段に向上する。
【発明を実施するための最良の形態】
【００１４】
以下、本発明の実施の形態を図１〜３に基づき後述の実施例で説明する。なお、本実施例では二種類の消臭液を噴霧する消臭方法および噴霧装置について示した。
【実施例１】
【００１５】
本発明の第１の実施例は一のノズルを持つ噴霧器に取り付けられ、途中から複数に分岐した分岐管の端部を別々の収納体に収納された異なる消臭液の各々に挿入し、前記異なる消臭液を各々の収納体から同時に吸引して噴霧するものである。その噴霧装置の構成を図１および図２に示した。第１の消臭液６１を入れる第１の収納体２１および第２の消臭液６２を入れる第２の収納体２２は支持体７１により固定されている。たとえば第１の消臭液６１は有機酸であるクエン酸等の酸性消臭剤、第２の消臭液６２は炭酸水素ナトリウム等のアルカリ性消臭剤であり、あらかじめ第１の収納体２１および第２の収納体２２にそれぞれ充填されている。また、前記第１の収納体２１および第２の収納体２２には、前記消臭液６１，６２を噴霧する一のノズルを有するトリガー式噴霧器８が接続されている。
【００１６】
次に本実施例の噴霧器８の構成について説明する。噴霧器８は図示していないが消臭液を吸引するためのポンプと、消臭液を噴霧するノズル５が設けられており、第１の収納体２１の消臭液６１内に一端部を挿入した第１の分岐管３１と第２の収納体２２の消臭液６２内に一端部を挿入した第２の分岐管３２に途中で分岐させて構成した吸引管３の上端部が前記噴霧器８のポンプに接続されている。
【００１７】
ところで、本実施例に係る噴霧装置の噴霧動作について説明する。まず、トリガー４を手動で操作することによりポンプを動作させ、第１の収納体２１に収納された第１の消臭液６１を分岐管３１を通して、第２の収納体２２に収納された第２の消臭液６２を分岐管３２を通して同時に吸引する。吸引された第１の消臭液６１および第２の消臭液６２は途中で合流し、ポンプに供給され、直結したノズル５を介して噴霧される。
【００１８】
従って、異なった種類の消臭液同士は噴霧直前に混合され一のノズルから噴霧されるため、消臭液６１と消臭液６２の接触時間は１回の噴霧動作に要する時間程度のごく短時間であり、前記混合による化学反応が起こらず、仮に起きたとしても、あらかじめ消臭液同士を混合しておく場合に比べ化学反応が進行しない段階で同時に２種類の消臭液を噴霧することができ、目的の消臭効果が得られる消臭方法およびその噴霧装置を提供することができる。
【実施例２】
【００１９】
本発明の第２の実施例は、別々に収納された異なる消臭液の各々の収納体に取り付けた複数の噴霧器を連動させて、前記各々の噴霧液を同時に吸引し、噴霧するものである。その噴霧装置の構成を図３に示した。本図に示したように、第１の消臭液を噴霧するトリガー式の第１の噴霧器８１には第１の吸引管３が接続され、第１の収納体２１に挿着されると共に、第２の消臭液を噴霧するトリガー式の第２の噴霧器８２には第２の吸引管３が接続され、第２の収納体２２に挿着されている。また、第１の噴霧器８１と第２の噴霧器８２は支持体７２により一体的に固着されている。更に、第１の噴霧器８１のトリガーと第２の噴霧器８２のトリガーは連動するように一体的なトリガー４１として形成してある。なお、収納体２１、収納体２２および支持体６は実施例１と同様であるため詳細な説明は省略する。
【００２０】
次に、本実施例に係る噴霧装置の噴霧動作について説明する。まず、手動によりトリガー４１を操作し、第１の収納体２１に収納された第１の消臭液６１を第１のポンプにより第１の吸引管３で、第２の収納体２２に収納された第２の消臭液６２を第２のポンプにより第２の吸引管３でそれぞれ吸い上げる。そして、前記吸い上げられた第１の消臭液６１は第１のポンプに直結した第１のノズル５１から、第２の消臭液は第２のポンプに直結した第２のノズル５２から同時に噴霧される。なお、第１の噴霧器８１と第２の噴霧器８２のトリガーを一体的に設ける構造に代えて、第１のトリガーと第２のトリガーを図示していない連結部材等により連結して連動可能とした構造であってもよい。
【００２１】
このように、第１の消臭液と第２の消臭液は混合されることなく別々のノズルから同時に噴霧されるため、化学反応は起こさず目的の消臭効果が得られる消臭方法およびその噴霧装置を提供することができる。
【００２２】
なお、上述の実施例１および２では二種類の消臭液を噴霧する消臭方法および噴霧装置について示したが、三種類またはそれ以上の消臭液を噴霧する消臭方法および噴霧装置であってもよく、また、トリガー式の噴霧器に代えて、手押し式噴霧器等、他の公知の噴霧器を用いてもよい。
【図面の簡単な説明】
【００２３】
【図１】本発明の実施例１の噴霧装置を示す一部断面図である。
【図２】本発明の実施例１の噴霧装置の外観図である。
【図３】本発明の実施例２の噴霧装置を示す一部断面図である。
【図４】従来の噴霧装置を示す一部断面図である。
【符号の説明】
【００２４】
１      噴霧装置
２      収納体
３      吸引管
４      トリガー
５      ノズル
６      消臭液
７１、７２      支持体
８      噴霧器
【図１】
2006034300.tif 000003
【図２】
2006034300.tif 000004
【図３】
2006034300.tif 000005
【図４】
2006034300.tif 000006